(57)【要約】      （修正有）【課題】煩わしい作業を必要とせず、かつ、部屋の美観を損なわないように電源コードを引き出せるアダプタおよびこれを用いた空気調和機を提供する。【解決手段】アダプタ２０のコード導出部は、貫通部２８の上部と上面部２３とを連通するように設けられており、上面部２３における貫通部２８に対応する箇所は、他の上面部２３の箇所と比べて厚み寸法が小さくして切り取り易くした薄肉部とされている。アダプタ２０を室内機１に取り付けて電源コード４０を室内機１の上方に引出すときは、アダプタ２０を室内機１に取り付ける前に、上記薄肉部を切り取り、電源コード４０をコード導出部に収めてから、アダプタ２０を室内機１に取り付ける。【選択図】図３
2014098514.tif 000002
【特許請求の範囲】
【請求項１】
電源コードを有する室内機筐体の表面と、同室内機に接続される冷媒配管を覆う配管カバーとの間に配置され、前記電源コードの外径寸法に対応した厚さ寸法で形成されるアダプタであって、
前記アダプタは、前記配管カバーが突き当てられるカバー側突き当て部と、前記室内機筐体の表面が突き当てられる筐体側突き当て部と、前記カバー側突き当て部と前記筐体側突き当て部とを連結する外縁部と、前記カバー側突き当て部と前記筐体側突き当て部とを連通するように設けられた貫通部と、同貫通部と前記外縁部とを連通するコード導出部とを備えたことを特徴とするアダプタ。
【請求項２】
前記コード導出部における前記アダプタの外縁部側の開口部を、切り取り可能な薄肉部で塞いでいることを特徴とする請求項１に記載のアダプタ。
【請求項３】
前記貫通部の一部が、前記冷媒配管の外径寸法に対応した大きさで切り欠かれて前記外縁部と連通していることを特徴とする請求項１または請求項２に記載のアダプタ。
【請求項４】
前記貫通部は前記筐体側突き当て部から突出するよう配置された複数の爪部を有し、
前記室内機は、同室内機筐体の表面に設けられ前記冷媒配管や前記電源コードを通すための開口部を有し、
複数の前記爪部を前記開口部に嵌合することで前記アダプタを前記室内機の表面に装着することを特徴とする請求項１乃至請求項３に記載のアダプタ。
【請求項５】
電源コードを有する室内機の表面と、同室内機に接続される冷媒配管を覆う配管カバーとの間に配置されるアダプタを有する空気調和機であって、
前記室内機は、同室内機の表面に設けられ前記冷媒配管や前記電源コードを通すための開口部を有し、
前記アダプタは、前記電源コードの外径寸法に対応した厚さ寸法で形成され、前記配管カバーが突き当てられるカバー側突き当て部と、前記室内機の表面が突き当てられる筐体側突き当て部と、前記カバー側突き当て部と前記筐体側突き当て部とを連結する外縁部と、前記カバー側突き当て部と前記筐体側突き当て部とを連通するように設けられた貫通部と、同貫通部と前記外縁部とを連通するコード導出部とを備え、
前記アダプタを前記室内機の表面と前記配管カバーとの間に配置したときに、前記電源コードを前記コード導出部を通して前記アダプタ外部へ引き出せるようにしたことを特徴とする空気調和機。
【発明の詳細な説明】
【技術分野】
【０００１】
本発明は、室内機の筐体と冷媒配管を保護する配管カバーとが接触する箇所の隙間を覆うアダプタおよびこれを備えた空気調和機に関する。
【背景技術】
【０００２】
従来、室内機と室外機とが冷媒配管で接続される空気調和機では、冷媒配管の保護や室内機が設置された部屋の美観を損なわないようにする目的で、部屋の壁面に設けられた冷媒配管の導入部から室内機までの間の冷媒配管を、ポリスチレン等の樹脂材で形成した配管カバーで覆うことがある。
【０００３】
一方、近年では室内機の意匠性を高めるために、その筐体外面が曲面とされているものが多くなっている。室内機筐体の外面が曲面である場合、配管カバーを室内機筐体に突き当てても室内機筐体と配管カバー（の端部）との間に隙間が生じ、冷媒配管が一部露出して保護できなかったり、美観を損ねるという問題がある。
【０００４】
そこで、特許文献１では、室内機筐体と配管カバーとの間に生じる隙間を覆うために、室内機筐体の表面と配管カバーの端部との間に配置される配管用隙間カバー（以下、アダプタと記載）が提案されている。このアダプタは、軟質ゴム材等の軟質素材で形成されており、室内機筐体の表面に装着される軟質カバー部と、配管カバーに外嵌装着可能な取付け部とから構成されている。
【先行技術文献】
【特許文献】
【０００５】
【特許文献１】特開２００３−６５４８７号公報（第３〜４頁、第１図〜第４図）
【発明の概要】
【発明が解決しようとする課題】
【０００６】
特許文献１に記載のような空気調和機では、室内機の電源コードを室内機筐体における冷媒配管の引出側に引出すときは、通常、電源コードを冷媒配管とともに配管カバーで覆い、配管カバーの途中に電源コード引出用の孔を設けてこの孔から電源コードを配管カバー外に引き出すことが行われている。これは、電源コードを部屋の壁面に設けられたコンセントまで引き回す場合に、電源コード全体が使用者から見えたり電源コードが室内機下方に垂れ下がったりすることで、部屋の美観が損なわれないようにするためである。
【０００７】
しかし、上述した電源コード引出用の孔は、室内機の設置位置から部屋の壁面に設けられたコンセントまでの距離に応じて、配管カバーに設ける位置を変更する必要がある。このため、室内機を設置する際に、据付作業者が室内機とコンセントとの距離に応じ工具等を用いて配管カバーに電源コード引出用の孔を開ける、という作業が必要となり、室内機の据付作業が煩わしくなるという問題があった。
【０００８】
本発明は以上述べた問題点を解決し、煩わしい作業を必要とせず、かつ、部屋の美観を損なわないように電源コードを引き出せるアダプタおよびこれを用いた空気調和機を提供することを目的とする。
【課題を解決するための手段】
【０００９】
本発明は上述の課題を解決するものであって、本発明のアダプタは、電源コードを有する室内機筐体の表面と、室内機に接続される冷媒配管を覆う配管カバーとの間に配置され、電源コードの外径寸法に対応した厚さ寸法で形成されるものであって、アダプタは、配管カバーが突き当てられるカバー側突き当て部と、室内機筐体の表面が突き当てられる筐体側突き当て部と、カバー側突き当て部と筐体側突き当て部とを連結する外縁部と、カバー側突き当て部と筐体側突き当て部とを連通するように設けられた貫通部と、貫通部と外縁部とを連通するコード導出部とを備えたものである。
【００１０】
また、上記アダプタを備えた空気調和機は、室内機の表面と冷媒配管を覆う配管カバーとの間にアダプタを配置するものであって、アダプタを室内機の表面と配管カバーとの間に配置したときに、電源コードをコード導出部を通してアダプタ外部へ引き出せるようにしたものである。
【発明の効果】
【００１１】
本発明のアダプタおよびこれを備えた空気調和機は、アダプタに設けられたコード導出部を介して電源コードをアダプタ外部へ簡単に引き出せるので、電源コードを引き出すときの配管カバーの加工等の煩わしい作業を必要とせずに、室内機が設置される部屋の美観を保つことができる。
【図面の簡単な説明】
【００１２】
【図１】本発明の実施形態におけるアダプタを室内機に装着した状態図であり、（Ａ）は室内機を右斜め上方から見た外観斜視図、（Ｂ）は（Ａ）におけるＥ部拡大図である。
【図２】本発明の実施形態におけるアダプタの説明図であり、（Ａ）は配管カバー接続面図、（Ｂ）は上面図、（Ｃ）は室内機接続面図、（Ｄ）は（Ｃ）における左斜め下方から見た外観斜視図である。
【図３】本発明の実施形態における室内機、配管カバー、および、アダプタの組付図である。
【図４】本発明の実施形態におけるアダプタの室内機への取り付け説明図であり、（Ａ）は取付前、（Ｂ）は取付後をそれぞれ示している。
【発明を実施するための形態】
【００１３】
以下、本発明の実施の形態を、添付図面に基づいて詳細に説明する。実施形態としては、部屋の壁面に設置される壁掛型の室内機を備えた空気調和機を例に挙げて説明する。尚、本発明は以下の実施形態に限定されることはなく、本発明の主旨を逸脱しない範囲で種々変形することが可能である。
【実施例】
【００１４】
図１（Ａ）に示すように、空気調和機は、部屋の壁面に設置される壁掛型の室内機１と、屋外に設置される図示しない室外機とを備えており、室内機１と室外機とが、冷媒配管５０や電気配線６０によって接続されている。冷媒配管５０や電気配線６０は、ポリスチレン等の樹脂材で形成した配管カバー３０で覆われている。また、図１（Ａ）および（Ｂ）に示すように、室内機１と配管カバー３０との間に、本発明のアダプタ２０が配置されており、後述するようにアダプタ２０の上面部２３から室内機１の電源コード４０が上方に引き出されている。
【００１５】
室内機１は、横長の略直方体形状を有しており、室内機筐体１０の前面には、樹脂材を用いて略四方形状に形成されて室内機筐体１０の前面を覆うように配置され、室内機１の意匠面を形成する前面パネル１１が設けられている。
【００１６】
室内機筐体１０の左右側面は、右側面パネル１２および左側面パネル１３で形成されている。右側面パネル１２および左側面パネル１３は、各々所定の曲率を有する曲面に形成されており、左右対称形状とされている。
【００１７】
室内機本体１００の天面には、室内機１内部に空気を取り込むための図示しない吸込口が開口されており、吸込口を覆うように格子状に形成された吸込グリル１４が設けられている。また、図示は省略するが、室内機筐体１０の前面パネル１１下方には、室内機１で冷媒と熱交換を行った空気を部屋に放出するための吹出口が設けられている。
【００１８】
アダプタ２０は、ポリスチレン等の樹脂材を用いて形成されており、図２に示すように、カバー側突き当て部２１と、筐体側突き当て部２２と、アダプタ２０の外側面である上面部２３および下面部２４と、前端部２５と、後端部２６と、コード導出部２７と、貫通部２８とから構成されている。尚、本実施形態におけるアダプタ２０は、図１に示すように室内機筐体１０の右側面パネル１２に取り付けられるものであるが、左側面パネル１３に取り付けられるものはアダプタ２０と左右対称形状となる。
【００１９】
カバー側突き当て部２１は、図１（Ｂ）に示すように、配管カバー３０の端部（面一とされている）が突き当てられる面であり、配管カバー３０の端部がカバー側突き当て部２１に突き当てられたときにアダプタ２０と配管カバー３０との間に隙間が生じないよう、平面に形成されている。
【００２０】
上面部２３および下面部２４は、図２（Ｃ）に示すように、カバー側突き当て部２１の上下端部を各々略直角に折り曲げたような形状に形成されており、図２（Ｂ）および（Ｄ）に示すように、上面部２３および下面部２４の各々の先端部は、右側面パネル１２の曲面に対応した形状である筐体側突き当て部２２とされている。これにより、図１（Ｂ）に示すように、アダプタ２０が右側面パネル１２に取り付けられたときに、筐体側突き当て部２２と右側面パネル１２との間に隙間が生じない。
【００２１】
前端部２５は、図１（Ｂ）に示すように、アダプタ２０を右側面パネル１２に取り付けたときに室内機１の前面側（前面パネル１１が配置されている方向）に面する部分である。また、後端部２６は、アダプタ２０を右側面パネル１２に取り付けたときに室内機１の後面側（室内機１を設置する壁面側）に面する部分である。
【００２２】
貫通部２８は、図２（Ａ）および（Ｃ）に示すように、後端部２６に対応する箇所を切り欠いて略Ｃ字状に形成されており、カバー側突き当て部２１側と筐体側突き当て部２２側とを連通するように設けられている。貫通部２８は、後述するアダプタ２０の右側面パネル１２への取り付けのときに、冷媒配管５０や電気配線６０を通すための箇所となっている。貫通部２８の周縁部は、上面部２３および下面部２４と同じ方向に折り曲がっており、その先端部の形状は、右側面パネル１２の曲面に対応した形状とされている。また、図２（Ｃ）および（Ｄ）に示すように、貫通部２８の先端部からは４個の爪部２８ａが延出形成されており、各爪部２８ａは右側面パネル１２の開口部１２ａに取り付けできるような形状とされている。
【００２３】
コード導出部２７は、図２（Ｃ）および（Ｄ）に示すように、貫通部２８の上部と上面部２３とを連通するように設けられており、コード導出部２７が設けられている箇所のアダプタ２０の厚さ寸法は、電源コード４０の外形寸法に対応した寸法とされている。また、上面部２３における貫通部２８に対応する箇所は、他の上面部２３の箇所と比べて厚み寸法が小さい薄肉部２３ａとされている。図１（Ｂ）に示すように、電源コード４０をアダプタ２０のコード導出部からアダプタ２０の上方へ引出す際には、薄肉部２３ａを切り取って引出口２７ａとすることができる。
【００２４】
次に、図３および図４を用いて、室内機１の据付作業、および、据付作業の際のアダプタ２０および配管カバー３０の取り付け方法について説明する。尚、図４では、説明をわかりやすくするために、室内機１を左斜め背面から見た斜視図とし、電源コード４０や配管カバー３０等、室内機筐体１０の右側面パネル１２へのアダプタ２０の取り付け説明に必要ない部材の表示は省略している。
【００２５】
まず、室内機１における冷媒配管５０や電気配線６０の引出し方向を決定する。具体的には、室内機１の設置位置に対して冷媒配管５０や電気配線６０を屋外へ引出すために部屋の壁面に設けられた貫通孔が右側にある場合は、室内機筐体１０の右側面パネル１２に設けられた右側開口部１２ａから冷媒配管５０や電気配線６０を引出し、室内機１の設置位置に対して上記貫通孔が左側にある場合は、室内機筐体１０の右側面パネル１２に設けられた左側開口部１３ａから冷媒配管５０や電気配線６０を引出す。
【００２６】
図４の左側開口部１３ａに示すように、右側開口部１２ａや左側開口部１３ａは、室内機１の出荷時は塞がれており、室内機１の据付作業者が冷媒配管５０や電気配線６０を引出す際に、工具を用いて右側開口部１２ａや左側開口部１３ａを塞いでいる箇所を切り取ることで、右側開口部１２ａや左側開口部１３ａが形成される。尚、右側開口部１２ａや左側開口部１３ａには、アダプタ２０の貫通部の形状に対応した形状（図４における、破線で示した左側開口部１３ａを参照）で図示しない溝が設けられており、据付作業者はこの溝に沿って右側開口部１２ａや左側開口部１３ａを塞いでいる箇所を切り取ることで、容易に右側開口部１２ａや左側開口部１３ａを形成できるようになっている。
【００２７】
次に、図３の矢印ａに示すように、右側面パネル１２に設けた右側開口部１２ａにアダプタ２０を取り付ける。最初に、電源コード４０を室内機１上方へ引出すために、図２（Ｂ）乃至（Ｄ）に示す薄肉部２３ａを予め工具等を用いて切り取り、コード導出部２７の上方に引出口２７ａを形成する。前述したように、薄肉部２３ａは他の上面部２３と比べて肉厚を薄くしているので、据付作業者は容易に引出口２７ａを形成することができる。そして、上述したアダプタ２０を右側開口部１２ａに取り付ける際に、コード導出部２７に電源コード４０を収め、電源コード４０を引出口２７ａから室内機１上方へ引出す。
【００２８】
次に、図４（Ａ）に示すように、アダプタ２０を室内機筐体１０の背面側から右側開口部１２ａに向けて近づける。このとき、アダプタ２０の貫通部２８における開口側（後端部２６側）に冷媒配管５０や電気配線６０が配置されるよう、アダプタ２０を位置決めして近づける。そして、図４（Ｂ）に示すように、右側開口部１２ａにアダプタ２０の各爪部２８ａが掛かるようにアダプタ２０を右側開口部１２ａに挿入して、アダプタ２０の右側開口部１２ａへの取り付けが完了する。
【００２９】
このように、冷媒配管５０や電気配線６０をアダプタ２０の後端部２６の開口側から貫通部２８に収めることができ、また、アダプタ２０の各爪部２８ａを右側開口部１２ａに掛けることで右側開口部１２ａにアダプタ２０を取り付けることができるので、アダプタ２０の右側開口部１２ａへの取り付け作業が容易となる。また、前述したように、アダプタ２０の筐体側突き当て部２２は、右側面パネル１２の曲面形状に対応した形状とされているため、アダプタ２０と右側面パネル１２との間に隙間が生じない。
【００３０】
次に、アダプタ２０の取付けを終えた室内機１を、部屋の壁面の所定位置に図示しない取り付けパネルを介して取り付ける。次に、冷媒配管５０や電気配線６０を配管カバー３０で覆う。図示は省略するが、配管カバー３０は、冷媒配管５０や電気配線６０を覆う断面略コ字形状のカバー部と、カバー部を取り付ける板状の基底部とからなり、カバー部に冷媒配管５０や電気配線６０を収めた後にカバー部と基底部とを組み合わせることで、冷媒配管５０や電気配線６０を覆うようになっている。
【００３１】
次に、図３の矢印ｂに示すように、配管カバー３０を室内機筐体１０へ向かってスライドし、アダプタ２０のカバー側突き当て部２１に突き当てる。そして、配管カバー３０（の基底部）を部屋の壁面に粘着テープ等で固定し、室内機１の据付が完了する。前述したように、アダプタ２０のカバー側突き当て部２１は平面であり、また、配管カバー３０の端部は面一であるため、アダプタ２０と配管カバー３０の端部との間に隙間が生じない。
【００３２】
以上説明したように、本発明のアダプタおよびこれを備えた空気調和機は、アダプタに設けられたコード導出部を介して電源コードをアダプタ外部へ簡単に引き出せるので、電源コードを引き出すときの配管カバーの加工等の煩わしい作業を必要とせずに、室内機が設置される部屋の美観を保つことができる。
【００３３】
尚、以上説明した実施形態では、コード導出部２７に対応する上面部２３に薄肉部２３ａを設けている場合について説明したが、薄肉部２３ａを設けずにコード導出部２７に対応する上面部２３を開口して引出部２７ａを設けるようにしてもよい。但し、電源コード４０を室内機筐体１０の右側面パネル１２側から引出さない場合（例えば、左側面パネル１３から引出す場合）は、引出部２７ａから室内機１の内部や配管カバー３０の内部に塵埃が侵入する虞があるので、本実施形態のように、簡単に切り取りできる薄肉部２３ａを設けることが望ましい。
【００３４】
また、貫通部２８が後端部２６に対応する箇所を切り欠いて略Ｃ字状に形成されている場合について説明したが、貫通部２８が冷媒配管５０や電気配線６０を貫通できる内径の孔であってもよい。但し、貫通部２８が閉じた孔であれば、貫通部２８に冷媒配管５０や電気配線６０を通す際に、冷媒配管５０や電気配線６０の室内機１接続側と反対側の端部から貫通部２８に通すこととなり作業が面倒となるため、本実施形態のように、貫通部２８の一部がアダプタ２０の外側面に開口していることが望ましい。
【００３５】
さらには、貫通部２８に複数の爪部２８ａを設け、各爪部２８ａを右側開口部１２ａに掛けることで右側開口部１２ａにアダプタ２０を取り付ける場合について説明したが、アダプタ２０を粘着テープ等で右側面パネル１２に取り付けてもよい。但し、アダプタ２０を粘着テープ等で右側面パネル１２に取り付けた場合は、引っ越し等による室内機１の移設に伴って冷媒配管５０や電気配線６０の引出し方向を変更するときに、アダプタ２０の取り外しが困難となるので、本実施形態のように、各爪部２８ａを右側開口部１２ａに掛けることで右側開口部１２ａにアダプタ２０を着脱可能に取り付けることが望ましい。
【符号の説明】
【００３６】
１  室内機
１０  室内機筐体
１２  右側面パネル
１２ａ  右側開口部
１３  左側面パネル
１３ａ  左側開口部
２０  アダプタ
２１  カバー側突き当て面
２２  筐体側突き当て部
２３  上面部
２３ａ  薄肉部
２４  下面部
２５  前端部
２６  後端部
２７  コード導出部
２７ａ  引出口
２８  貫通部
２８ａ  爪部
３０  配管カバー
４０  電源コード
５０  冷媒配管
６０  電気配線
【図１】
2014098514.tif 000003
【図２】
2014098514.tif 000004
【図３】
2014098514.tif 000005
【図４】
2014098514.tif 000006